(57)【要約】      （修正有）【課題】安全で、設置場所が制限されることなく使用可能である虫・小動物の忌避剤収納容器を提供する。【解決手段】容器１内部に空気の流通路１５を設け、容器１表面の少なくとも一部に流通路１５に連通する開放端を備え、流通路１５には、忌避剤を保持した忌避剤保持ベース８、９を設置する。一の忌避剤保持ベース８は、他の忌避剤保持ベース９と所定間隔をおいて互いに対向して設置される。流通路１５内には、忌避剤保持ベース８、９に沿って空気が流通する隙間Sを形成する。内部が広い場合には、複数の流通路１５を形成する仕切を設け、この仕切に沿って板状に形成した忌避剤保持ベース８、９が固着される。【選択図】図１
0003153037.tif 000002
【実用新案登録請求の範囲】
【請求項１】
容器内部に収納した忌避剤を容易に周辺に拡散させることが可能な構造の虫・小動物の忌避剤収納容器であって、
容器内部に空気の流通路を設け、容器表面の少なくとも一部に前記流通路に連通する開放端を備え、前記流通路には、忌避剤を保持した忌避剤保持ベースを設置するとともに、前記流通路内には、前記忌避剤保持ベースに沿って空気が流通する隙間を形成したことを特徴とする虫・小動物の忌避剤収納容器。
【請求項２】
前記忌避剤はナフテン酸であることを特徴とする請求項１に記載の虫・小動物の忌避剤収納容器。
【請求項３】
複数の流通路を形成する仕切が設けられ、この仕切に沿って、板状に形成した前記忌避剤保持ベースが仕切の表面に固着され、また、一の忌避剤保持ベースが、隣接する仕切に貼設した他の忌避剤保持ベースと所定間隔をおいて互いに対向して設置されている請求項１又は２に記載の虫・小動物の忌避剤収納容器。
【請求項４】
前記忌避剤保持ベースは、立毛を備える基布と、この基布の裏面に積層した裏打ち層とからなり、前記基布にはナフテン酸の溶液が含浸し、前記裏打ち層が前記仕切の表面に接着手段を介して固着されていることを特徴とする請求項１から３のいずれかに記載の虫・小動物の忌避剤収納容器。
【考案の詳細な説明】
【技術分野】
【０００１】
本考案は、建物の屋内外に設置して、その近辺に虫や小動物が近付くこと、また、屋内に侵入することを抑制する虫・小動物の忌避剤収納容器に関する。
【背景技術】
【０００２】
室内に屋外から侵入する蚊、あるいは屋外で蚊から身を守る方法としては、例えば、蚊取り線香や電気蚊取り機を設置し、または虫除けスプレー等、忌避剤を直接体に噴霧または塗布する方法が用いられている。
【０００３】
蚊取り線香は、一般に木くずなどにアスレリン等のピレスロイド化合物の忌避剤を混合し、板状に伸ばしたものを渦巻き型に打ち抜いて乾燥させたものである。
また、電気蚊取り機は、例えば、アスレリン等のピレスロイド化合物である忌避剤を含ませたマットを１５０℃前後の熱板に乗せて過熱し、忌避剤中の有効成分を空気中に漂わせ、蚊を寄せ付けないようにするものである。
【０００４】
これらの用いられるピレスロイド化合物は、一般的に常温では空気中に有効成分が広がりにくいので、蚊取り線香では点火して煙と共に空気中に飛散させ、電気蚊取り機は、電気で加熱してこれを空気中に飛散させている。
【０００５】
また、通常、虫除けスプレーの有効成分の一例はディートであり、このディートを含む忌避剤を直接身体の一部に噴射して、皮膚にこれを付着させて虫さされから身を守るものである。
【考案の開示】
【考案が解決しようとする課題】
【０００６】
蚊取り線香又は電気蚊取り器は、殺虫剤としての有効成分はピレスロイド化合物であるが、このピレスロイド化合物は粘膜を刺激する作用があり、毎日吸い続けていると化学物質過敏症に陥ってしまう危険性を有している。
【０００７】
ピレスロイド化合物は、加熱して有効成分を空気中に飛散または気化させるので、燃焼や加熱のために電力を用いる必要がある。したがって、使用場所に多少なりとも制限を受けてしまう問題がある。
上述したような化学物質は、日常的な繰返し使用により室内を汚染し、人体への影響も少なくないことが認識されつつある。したがって、虫等の忌避剤は、人に安全な成分であって、加熱することなく、臭いの発生もできるだけ少なくして使用できることが望ましい。
【０００８】
また、実際に忌避剤を設置する場所は、例えば、飲食店やその他の店舗などの出入り口付近である。忌避剤は、通常、かかる場所に、容易に、人の出入り等の妨げにならないように、かつ、あまり目立たぬように設置することが望ましい。特に、飲食店等の店舗ではこのような要請が大きい。
【０００９】
さらに、屋外で飼われている犬などのペットが蚊に悩まされることがあり、その対策として、通常、愛玩動物用の蚊取り線香や蚊取器等が用いられている。しかし、その管理には煩わしさが伴い、かつ、より安全で効能が長く持続することが望まれている。
本考案者は、ナフテン酸に虫・小動物の忌避作用があることを見出し、これに基づく忌避方法や忌避剤を開示した（特開２００５−１０４８９７号）。しかし、本考案者は、その設置についてさらなる検討を重ね、その忌避剤を収納した容器の周辺に有効成分を充分に拡散させることができ、かつ、設置場所に適した形態の虫等の忌避剤を収納する容器を得るに到った。
【００１０】
本考案は、安全で、また、設置場所が制限されることなく使用可能である虫・小動物の忌避剤収納容器を提供することを課題とする。
【課題を解決するための手段】
【００１１】
本考案は、上記課題を達成するために、以下の手段を採用した。すなわち、本考案に係る虫・小動物の忌避剤収納容器は、容器内部に設置した忌避剤を容易に周辺に拡散させることが可能な構造の虫・小動物の忌避剤収納容器であって、容器内部に空気の流通路を設け、容器表面の少なくとも一部に前記流通路に連通する開放端を備え、前記流通路には、忌避剤を保持した忌避剤保持ベースを設置するとともに、前記流通路内には、前記忌避剤保持ベースに沿って空気が流通する隙間を形成したことを特徴とする。
【００１２】
また、本考案に係る虫・小動物の忌避剤収納容器においては、複数の流通路を形成する仕切が設けられ、この仕切に沿って、板状に形成した前記忌避剤保持ベースが仕切の表面に固着され、また、一の忌避剤保持ベースが、隣接する仕切に貼設した他の忌避剤保持ベースと所定間隔をおいて互いに対向して設置することができる。
【００１３】
前記忌避剤としてはナフテン酸を用いることができる。ナフテン酸とは、石油から誘導されるシクロペンタン、シクロヘキサン、シクロへプタ等のカルボン酸誘導体の総称であり、一般的には、ペイント乾燥剤、木材防腐剤、金属の製造等に用いられる。
ナフテン酸を有機溶剤に溶かし忌避剤保持ベースに吸収させて、これを含む虫・小動物の忌避剤収納容器を、例えば通気性の良い場所である建造物の出入り口の情報等に設置する。このとき、ナフテン酸を有機溶剤に溶かして適度な濃度に調整し、流動性を高めて忌避剤保持ベースに吸収し易くする。
【００１４】
上記のような方法によれば、ナフテン酸を多く含む忌避剤保持ベースを外気に接触させることで、ナフテン酸を気化させて虫や小動物に対する防除が可能である。
前記有機溶剤は、液体有機化合物のことであり、例えば、ベンジン、キシロール等が挙げられる、しかし、ナフテン酸を溶かした溶液を生成することが出来れば良く、有機溶剤はこれに限られない。
【００１５】
屋外から室内へ入ってくる虫を防除する場合には、前記忌避剤保持ベースを出入口の上部や窓の上部に設置することが好ましい。このようにすれば、忌避剤が周囲に行き渡るため効果的である。特に、開閉頻度の激しい出入り口、または開放しておかなければならない出入り口、窓等がある建造物の場合に有効である。また、室内の虫を防除する場合には、比較的虫の集まりやすい台所に設置すると良く、例えば、台所の戸棚の内部等に設置するのが効果的である。
【００１６】
また、屋外でペットとして飼育される犬のための犬小屋等の壁面に、虫・小動物の忌避剤収納容器を、適宜、取り付けることができる。このようにすれば、蚊取り器具を用いなくてもよく、手間がかからないので器具の管理がきわめて平易になる。
【００１７】
忌避剤保持ベースは、ナフテン酸を溶かした有機溶剤を吸収させて、外気に接触させることが出来れば良く、形、大きさ、厚さ等には特に制限はない。しかし、前記忌避剤保持ベースは、例えば、立毛を備える基布と、この基布の裏面に積層した裏打ち層とからなり、前記基布にはナフテン酸の溶液が含浸し、前記裏打ち層が前記仕切の表面に接着手段を介して固着される構造とすることができる。このようにすれば、ナフテン酸が浸透する空間が多くなり、多量のナフテン酸を保持することが可能である。
【考案の効果】
【００１８】
以上のように本考案によれば、人に対して安全であって、設置場所の制限が少なく、虫、及び、カラス、ネズミ等の小動物を防除することができる虫・小動物の忌避剤容器が提供される。
【００１９】
また、通常、虫等に対する忌避効果は、例えば約３ヶ月間にわたり持続させることができ、何等メンテナンスをすることなく長期間使用することができる。したがって、通常は、一度設置すれば交換することなく、例えば夏季の間、継続使用することが可能である。
【考案を実施するための形態】
【００２０】
以下、本考案に係る虫・小動物の忌避剤収納容器の実施の形態を図面に基づいて説明する。
（実施の形態１）
図１は、本考案に係る虫・小動物の忌避剤収納容器の全体斜視図である。忌避剤収納容器１には、四角形の正面板２、背面板３、及び、上面板５がそれぞれ設けられている。また、容器１のそれぞれ角部の内部には、各々が同一の長さの四角柱状の支持材１０が設けられ、正面板２及び背面板３を所定の間隔をおいて保持している。この例では、忌避剤収納容器１の全体は、所定の厚みを有するボードに近い直方体状に形成されている。
【００２１】
容器１の正面板３、背面板３、及び、上面板５は、屋外設置の場合を考慮して開口部を設けずに全体が閉じられ、内部への雨水等の浸透がないようにされる。他方、左側面６、右側面７、及び底面４は、それぞれ開放されて、これらは開放端を構成している。このような容器１の本体の内部は中空であり、木材、合成樹脂、金属等の板状物を組み合わせて形成することができる。
【００２２】
図２は、本考案に係る虫・小動物の忌避剤収納容器の左（右）側面を示す図である。
忌避剤収納容器１の内部では、正面板２と背面板３の内側面に、板状の忌避剤保持ベース８、９がそれぞれ固着されている。これらの忌避剤保持ベース８、９を所定位置に固着させる手段は限定されないが、通常、図示しない接着剤や接着テープ等を使用することができる。
図４は、忌避剤保持ベースの詳細な構造を示す概略図である。忌避剤保持ベース８、９は、立毛した繊維部１２を有する基布１１と、この基布１１の裏面に積層した裏打ち層１３とからなる。前記繊維部１２の空隙には、ナフテン酸の溶液を多く含浸させることができ、前記裏打ち層１３が前記仕切の表面に、接着テープ等の接着手段（図示せず）を介して固着されている。通常、基布１１は、綿、麻または合成繊維等からなる織物であり、裏打ち層１３に接着されている。
【００２３】
また、一方の忌避剤保持ベース８と他方の忌避剤保持ベース９との間の空間S（隙間）は、空気の流通路１５となっていて、この流通路１５は、前記左側面６、右側面７、及び底面４の開放端（開口した端部）に連通している。したがって、図１において矢印で示すような空気の流れが生じ、忌避剤保持ベース８、９に含まれているナフテン酸が気化すると、これが流通路１５を通って忌避剤収納容器１の外部に放出される。
前記左側面６、右側面７、及び底面４の開放端（開口した端部）を、図示しないメッシュ状の板材で覆うようにしてもよい。このようにすれば忌避剤収納容器１内への異物の侵入や雨の侵入を防止することができる。
【００２４】
なお、忌避剤保持ベース８、９は、上記のような構造に限定されるものではない。例えば、不織布、ウレタンスポンジ、布等、ナフテン酸が浸透し、これを暫時保持できるものであればよい。また、忌避剤収納容器１の長さ等は、設置場所に応じて適宜調整することができる。例えば、忌避すべき虫等が多い場所では、忌避剤の量が多くなるように忌避剤収納容器１の長さを調整する。
上記のような構造の虫・小動物の忌避剤収納容器１は、図３に示すように、玄関ドア２０の上部等、人の出入りのために開閉される扉等が設置された箇所の上方に設置することが好ましい。図３は、忌避剤収納容器を玄関ドアの上部に設置した状態を示す図である。この例では、屋外に設置したが屋内側に設置してもよい。この実施の形態に係る虫・小動物の忌避剤収納容器１は、板状であって壁面に容易に取り付けることができ、人の出入り等の妨げにならず、かつ、目立たぬように設置可能である。例えば、冷蔵庫の底面やその他のゴキブリ、ネズミ等が好む狭隘な場所にも設置し易い。
【００２５】
（実施の態様２）
本考案の実施の態様２に係る虫・小動物の忌避剤収納容器５０について図５、図６にしたがって説明する。図５は、実施の形態２の虫・小動物の忌避剤収納容器の内部構造を示す図である。図示のように、この実施の態様では、容器５０の内部が複数の仕切１８で区切られている。その結果、四角形の内部全体は、細長い長方形の複数の部屋、すなわち、実施の態様２では７つの部屋に分割されている。さらに、図６に示すように、これらの外側は、メッシュ状に形成された側板２２により覆われている。仕切１８の両側面には、実施の態様１で説明したのと同一の忌避剤保持ベース８、９（合計１２枚）が固着されている。なお、この例は大型の忌避剤収納容器を示したものであるが、忌避剤保持ベースを、４−６枚程度収納できる大きさでもよいのはもちろんである。
また、屋外に設置するために屋根部１９は切妻屋根形状となっている。このような虫・小動物の忌避剤収納容器５０は、ビルやマンションの屋上等に容易に設置することができ、その周囲に忌避剤を拡散させることでカラスやハトなどの飛来を抑制するものである。
【実施例】
【００２６】
以下、本考案の実施例について説明する。
（忌避剤）
まず、ナフテン酸３Ｌとこのナフテン酸を溶かす有機溶剤としてキシロール３Ｌを用意する。そして、ナフテン酸をこの有機溶剤に混入させ、攪拌してナフテン酸を有機溶剤に溶かす。
（忌避剤保持ベース）
次いで、前記ナフテン酸を溶かした有機溶剤に、忌避剤保持ベースを浸け、そのまま暫く放置してナフテン酸を吸収させる。
【００２７】
ナフテン酸の急性毒性は、表１に示すように、ＬＤ５０＝３０００ｍｇ／ｋｇ（ラットの経口投与）である。
【００２８】
【表１】
0003153037.tif 000003
ピレスロイド化合物等に比べて、ナフテン酸は低毒性であるので、本実施の形態に係る容器に収納される虫・小動物の忌避剤は安全性が高く、人間やペットの虫除け用として好適に使用することができる。
【００２９】
（実施例１）
前記忌避剤を使用し、その使用前と使用後において蚊に吸血された数を比較した。
（方法）
カンナくずを忌避剤保持ベースとして用い、前記ナフテン酸を溶かした有機溶剤に浸けて有機溶剤を吸収させた。このカンナくずを網目の袋２に入れ、表２に示す実験場所として指定された所定の場所に設置し、使用前１週間と使用後４週間の間、実験場所の中で蚊に吸血された数を調べた。
【００３０】
（結果）
【００３１】
【表２】
0003153037.tif 000004
【００３２】
表２に示すように、本忌避剤を使用すると直ちに効果が発揮され、蚊を防除することが出来た。また、使用を開始してから４週間経過しても、使用開始直後とほとんど変わらない効果が維持されることがわかった。
【００３３】
（実施例２）
実施例１に示すものと同様に、カンナくずを忌避剤保持ベースとして用い、これに吸収させた忌避剤を使用し、その使用前と使用後における防除対象となる虫の数を比較した。
【００３４】
（方法）
実施例１に示す虫忌避剤５００ｇを、容器に高さ２０ｃｍの籠に入れ、実験場所の出入口１箇所につき１個ずつと台所の戸棚の引き出しに１個設置した。
使用前１週間と使用後４週間の間の実験場所の中で虫の数を調べた。
【００３５】
（結果）
【００３６】
【表３】
0003153037.tif 000005
【００３７】
表３に示すように、本忌避剤を使用すると、ゴキブリ、ハエ等の虫を防除した。また、実施例１と同様に、本忌避剤を使用開始すると直ちに効果が発揮され、その効果が長期間持続することがわかった。
【００３８】
（実施例３）
前記忌避材を使用し、その使用前と使用後におけるゴミ集積場でのカラスの目撃数を比較した。
【００３９】
（方法）
忌避剤保持ベースとして、前記忌避材を吸収させた幅１５ｃｍ×長さ７０ｃｍの布を、AからJの１０か所のゴミ集積場に１個ずつ設置した。布を設置する１週間前から設置後４週間の間、ＡからＪにおけるカラスの目撃数を調べた。表１は、１週間毎のカラスの目撃回数の合計を示したものである。
【００４０】
（結果）
【００４１】
【表４】
0003153037.tif 000006
表４に示すように、本発明に係る忌避材を使用すると直ちに効果が発揮され、いずれの場所においてもカラスの目撃回数が減少しており、本忌避材によってカラスを防除することが出来た。また、設置後４週間経過しても、カラスはほとんど目撃されておらず、設置直後と変わらなく効果が持続した。
【００４２】
（実施例４）
前記忌避材を種々の実験場所（４カ所）に設置し、各々対象となる小動物の目撃回数を設置前と設置後で比較した。
（方法）
前記忌避材を、幅１５ｃｍ×長さ７０ｃｍの布製の忌避剤保持ベースに吸収させて、イ．ベランダ、ロ．ゴミ集積場、ハ．豚小屋、及びニ．ゴミ箱の各実験場所に１個ずつ設置した。使用前１週間と使用後４週間の間、実験場所付近で目撃した小動物の数を調べた。対象とした小動物は、各実験場所で異なっているが、カラス、鳩、ネズミを対象とした。
【００４３】
（結果）
【００４４】
【表５】
0003153037.tif 000007
表５に示すように、前記忌避材を使用するとカラス、鳩、ねずみ等小動物の目撃回数が減少しており、これらの小動物をいずれも防除することができた。また、実験例１と同様に、本忌避材を設置すると直ちに効果が発揮され、４週間経過してもその効果は変わらず、長期間効果が持続した。
【図面の簡単な説明】
【００４５】
【図１】本考案に係る虫・小動物の忌避剤収納容器の全体斜視図である。
【図２】本考案に係る虫・小動物の忌避剤収納容器の左（右）側面を示す図である。
【図３】実施の形態１の忌避剤収納容器を玄関ドアの上部に設置した状態を示す図である。
【図４】忌避剤保持ベースの詳細な構造を示す概略図である。
【図５】実施の形態２の虫・小動物の忌避剤収納容器の内部構造を示す図である。
【図６】実施の形態２の虫・小動物の忌避剤収納容器の全体斜視図である。
【符号の説明】
【００４６】
１、５０  虫・小動物の忌避剤収納容器      ２  正面板
３  背面板      ４  底面
５  上側面      ６  左側面
７  右側面      ９  忌避剤保持ベース
１０  支持材      １１  基布
１２  繊維部      １３  裏打ち層
１５  流通路      ２０  玄関ドア
２２  側板
【図１】
0003153037.tif 000008
【図２】
0003153037.tif 000009
【図３】
0003153037.tif 000010
【図４】
0003153037.tif 000011
【図５】
0003153037.tif 000012
【図６】
0003153037.tif 000013